(57)【要約】      （修正有）【課題】宇宙船の熱効率が向上する、改良された熱制御システムを提供する。【解決手段】太陽に垂直のラジエータを有する衛星向けのデュアルコンデンサループヒートパイプのためのシステム、方法、及び装置において、蒸発器内で液体を蒸気に転化させるために、液体を加熱すること更に、蒸気を管組織内で、蒸発器から太陽に照らされない第１のラジエータへ、及び太陽に照らされる第２のラジエータへ受動的に循環させ、蒸気が太陽に照らされない第１のラジエータ内にあるときに、蒸気を液体に転化させることを含む。更に、液体を管組織内で、太陽に照らされない第１のラジエータから蒸発器へ受動的に循環させることを含む。【選択図】図３Ａ
2018162056.tif 000002
【特許請求の範囲】
【請求項１】
衛星熱管理システムのための方法であって、
蒸発器内で液体を蒸気に転化させるために、前記液体を加熱することと、
前記蒸気を管組織内で、前記蒸発器から太陽に照らされない第１のラジエータへ、及び太陽に照らされる第２のラジエータへ受動的に循環させることと、
前記蒸気が前記太陽に照らされない第１のラジエータ内にあるときに、前記蒸気を前記液体に転化させることと、
前記液体を前記管組織内で、前記太陽に照らされない第１のラジエータから前記蒸発器へ受動的に循環させることと
を含む方法。
【請求項２】
請求項１に記載の方法を実施する衛星熱管理システムであって、
液体を蒸気に転化させるために前記液体を加熱する蒸発器と、
前記蒸気が太陽に照らされない第１のラジエータ内にあるときに、前記蒸気が前記液体に転化する、太陽に照らされない第１のラジエータと、
太陽に照らされる第２のラジエータと、
前記蒸気を前記蒸発器から前記太陽に照らされない第１のラジエータへ、及び前記太陽に照らされる第２のラジエータへ受動的に循環させ、前記液体を前記太陽に照らされない第１のラジエータから前記蒸発器へ受動的に循環させる管組織と
を備え、前記管組織により前記蒸発器が前記太陽に照らされない第１のラジエータ、及び前記太陽に照らされる第２のラジエータに接続される、システム。
【請求項３】
前記第１のラジエータは衛星の東側に装着され、前記第２のラジエータは前記衛星の西側に装着される、請求項２に記載のシステム。
【請求項４】
前記第１のラジエータは衛星の西側に装着され、前記第２のラジエータは前記衛星の東側に装着される、請求項２又は３に記載のシステム。
【請求項５】
前記液体は前記管組織内で、蒸気遮断Ｔ字管を介して、前記太陽に照らされない第１のラジエータから前記蒸発器へ循環する、請求項２から４のいずれか一項に記載のシステム。
【請求項６】
前記蒸気は前記管組織内で、蒸気Ｔ字管を介して、前記蒸発器から前記太陽に照らされない第１のラジエータへ、及び前記太陽に照らされる第２のラジエータへ循環する、請求項２から５のいずれか一項に記載のシステム。
【請求項７】
前記液体は冷却剤である、請求項２から６のいずれか一項に記載のシステム。
【請求項８】
前記管組織の少なくとも一部は可撓セグメントを含む、請求項２から７のいずれか一項に記載のシステム。
【請求項９】
前記可撓セグメントは可撓ホースである、請求項８に記載のシステム。
【請求項１０】
前記蒸発器は衛星内部に装着される、請求項２から９のいずれか一項に記載のシステム。
【請求項１１】
前記液体は衛星のペイロードから伝導する熱によって加熱される、請求項２から１０のいずれか一項に記載のシステム。
【請求項１２】
請求項２から１１のいずれか一項に記載の衛星熱管理システムを一体型衛星に設置する方法であって、
衛星バス内部の前記衛星バスの南に面した側の近くに南側デュアルコンデンサループヒートパイプを設置することであって、前記南側デュアルコンデンサループヒートパイプは、南側蒸発器と、南西側ラジエータと、南東側ラジエータとを備える、設置することと、
前記衛星バス内の前記衛星バスの北に面した側の近くに北側デュアルコンデンサループヒートパイプを設置することであって、前記北側デュアルコンデンサループヒートパイプは、北側蒸発器と、北西側ラジエータと、北東側ラジエータとを備える、設置することと、
前記南西側ラジエータ、前記南東側ラジエータ、前記北西側ラジエータ、及び前記北東側ラジエータそれぞれの両面が前記衛星バスの全ての面から離れて位置するように、前記南西側ラジエータ、前記南東側ラジエータ、前記北西側ラジエータ、及び前記北東側ラジエータを回転させることと、
前記一体型衛星を形成するために前記衛星バスを衛星のペイロードに嵌合させることと、
前記衛星バスを前記衛星のペイロードに嵌合させている間に、前記南側蒸発器を前記衛星のペイロード内の南側の定容量ヒートパイプに接続させることと、
前記衛星バスを前記衛星のペイロードに嵌合させている間に、前記北側蒸発器を前記衛星のペイロード内の北側の定容量ヒートパイプに接続させることと、
前記北西側ラジエータと前記南西側ラジエータとがいずれも前記一体型衛星の西に面した側に置かれるように、前記北西側ラジエータと前記南西側ラジエータとを回転させることと、
前記北東側ラジエータと前記南東側ラジエータとがいずれも前記一体型衛星の東に面した側に置かれるように、前記北東側ラジエータと前記南東側ラジエータとを回転させることと、
前記北西側ラジエータと前記南西側ラジエータとを前記一体型衛星の前記西に面する側に取り付けることと、
前記北東側ラジエータと前記南東側ラジエータとを前記一体型衛星の前記東に面した側に取り付けることと
を含む方法。
【請求項１３】
前記南側デュアルコンデンサループヒートパイプは、可撓セグメントを含む管組織の少なくとも一部を含む、請求項１２に記載の方法。
【請求項１４】
前記北側デュアルコンデンサループヒートパイプは、可撓セグメントを含む管組織の少なくとも一部を含む、請求項１２に記載の方法。
【請求項１５】
前記北側デュアルコンデンサループヒートパイプ及び前記南側デュアルコンデンサループヒートパイプのうちの一つは、前記衛星バス内部に設置される前に冷却剤で加圧される、請求項１２に記載の方法。
【発明の詳細な説明】
【技術分野】
【０００１】
本開示は、デュアルコンデンサループヒートパイプに関する。より具体的には、本開示は太陽に垂直のレジエータを有する衛星向けのデュアルコンデンサループヒートパイプに関する。
【０００２】
現在、宇宙船（例：衛星）の熱制御のための従来のシステムでは、機内の電子機器から生じた熱を宇宙船の北及び南に面する表面で遮断することが可能である。宇宙船の北及び南に面する表面は、宇宙船の東及び西に面した表面よりも低温の環境を呈する。これら従来の熱制御システムでは、太陽が高い入射角で日常的に直接照らすため、宇宙船の東及び西に面した表面ではそれほど熱を遮断することができない。宇宙船の東及び西に面した表面でも熱を遮断することができるシステムにより、宇宙船の熱効率が向上するであろう。
【０００３】
したがって、機内の電子機器から生じた熱を宇宙船の北及び南に面する表面だけでなく、宇宙船の東及び西に面する表面でも遮断することができる、改良された熱制御システムが必要である。
【発明の概要】
【０００４】
本開示は、太陽に垂直のラジエータを有する衛星向けのデュアルコンデンサループヒートパイプのための方法、システム、及び装置に関する。一または複数の実施形態では、衛星熱管理システム（すなわち、デュアルコンデンサループヒートパイプ）のための方法は、液体を蒸気に転化させるために蒸発器内で液体を加熱することを含む。本方法は更に、蒸気を管組織内で、蒸発器から太陽に照らされない第１のラジエータへ、及び太陽に照らされる第２のラジエータへ受動的に循環させることを含む。また、本方法は、蒸気が太陽に照らされない第１のラジエータ内にあるときに、蒸気を液体に転化させることを含む。更に、本方法は、液体を管組織内で、太陽に照らされない第１のラジエータから蒸発器へ受動的に循環させることを含む。
【０００５】
一または複数の実施形態では、第１のラジエータは衛星の東側に装着され、第２のラジエータは衛星の西側に装着される。ある実施形態では、第１のラジエータは衛星の西側に装着され、第２のラジエータは衛星の東側に装着される。
【０００６】
少なくとも１つの実施形態では、液体は管組織内で、蒸気遮断Ｔ字管を介して、太陽に照らされない第１のラジエータから蒸発器へ循環する。ある実施形態では、蒸気は管組織内で、蒸気Ｔ字管を介して、蒸発器から太陽に照らされない第１のラジエータへ、及び太陽に照らされる第２のラジエータへ循環する。
【０００７】
一または複数の実施形態では、液体は冷却剤である。
【０００８】
少なくとも１つの実施形態では、管組織の少なくとも一部は可撓セグメントを含む。ある実施形態では、可撓セグメントは可撓ホースである。
【０００９】
一または複数の実施形態では、蒸発器は衛星内部に装着される。
【００１０】
少なくとも１つの実施形態では、液体は衛星のペイロードから伝導する熱によって加熱される。
【００１１】
一または複数の実施形態では、衛星熱管理システム（すなわちデュアルコンデンサループヒートパイプ）は、液体を蒸気に転化させるために液体を加熱する蒸発器を備える。本システムは更に、太陽に照らされない第１のラジエータを備える。一または複数の実施形態では、蒸気が太陽に照らされない第１のラジエータ内にあるときに、蒸気は液体に転化する。本システムはまた、太陽に照らされる第２のラジエータを備える。更に、システムは、蒸気を蒸発器から太陽に照らされない第１のラジエータへ、及び太陽に照らされる第２のラジエータへ受動的に循環させ、液体を太陽に照らされない第１のラジエータから蒸発器へ受動的に循環させる管組織を備える。一または複数の実施形態では、管組織により蒸発器が太陽に照らされない第１のラジエータ、及び太陽に照らされる第２のラジエータに接続される。
【００１２】
少なくとも１つの実施形態では、衛星熱管理システムを製造する方法は、衛星バス内の衛星バスの南に面する側の近くに南側管組織を設置することを含む。本方法は更に、衛星バス内の衛星バスの北に面する側の近くに北側管組織を設置することを含む。また、本方法は、南側蒸発器を南側管組織に接続させ、北側蒸発器を北側管組織に接続させることも含む。更に、本方法は、一体型衛星を形成するために衛星バスを衛星ペイロードに嵌合させることを含む。
【００１３】
加えて、本方法は、北西側ラジエータを一体型衛星の北西の角に接続させること、北東側ラジエータを一体型衛星の北東の角に接続させること、南西側ラジエータを一体型衛星の南西の角に接続させること、及び南東側ラジエータを一体型衛星の南東の角に接続させることを含む。更に、本方法は、南側管組織を南西側ラジエータと南東側ラジエータに接続させることを含む。また、本方法は、北側管組織を北西側ラジエータと北東側ラジエータに接続させることを含む。更に、本方法は、北西側ラジエータと南西側ラジエータがいずれも一体型衛星の西に面した側に置かれるように、北西側ラジエータと南西側ラジエータとを回転させることを含む。更に、本方法は、北東側ラジエータと南東側ラジエータがいずれも一体型衛星の東に面した側に置かれるように、北東側ラジエータと南東側ラジエータとを回転させることを含む。
【００１４】
一または複数の実施形態では、衛星熱管理システムを一体型衛星に設置する方法は、衛星バス内部の衛星バスの南に面した側の近くに南側デュアルコンデンサループヒートパイプを設置することを含む。少なくとも１つの実施形態では、南側デュアルコンデンサループヒートパイプは、南側蒸発器と、南西側ラジエータと、南東側ラジエータとを備える。本方法は更に、衛星バス内の衛星バスの北に面した側の近くに北側デュアルコンデンサループヒートパイプを設置することを含む。一または複数の実施形態では、北側デュアルコンデンサループヒートパイプは、北側蒸発器と、北西側ラジエータと、北東側ラジエータとを備える。また、本方法は、南西側ラジエータ、南東側ラジエータ、北西側ラジエータ、及び北東側ラジエータそれぞれの両面が衛星バスの全ての面から離れて位置するように、南西側ラジエータ、南東側ラジエータ、北西側ラジエータ、及び北東側ラジエータを回転させることを含む。更に、本方法は、一体型衛星を形成するために衛星バスを衛星のペイロードに嵌合させることを含む。加えて、本方法は、衛星バスを衛星のペイロードに嵌合させている間に、南側蒸発器を衛星のペイロード内の南側の定容量ヒートパイプ（ｃｏｎｓｔａｎｔ  ｃｏｎｄｕｃｔａｎｃｅ  ｈｅａｔ  ｐｉｐｅ）に接続させることを含む。また、本方法は、衛星バスを衛星のペイロードに嵌合させている間に、北側蒸発器を衛星のペイロード内の北側の定容量ヒートパイプに接続させることを含む。更に、本方法は、北西側ラジエータと南西側ラジエータがいずれも一体型衛星の西に面した側に置かれるように、北西側ラジエータと南西側ラジエータとを回転させることを含む。更に、本方法は、北東側ラジエータと南東側ラジエータがいずれも一体型衛星の東に面した側に置かれるように、北東側ラジエータと南東側ラジエータとを回転させることを含む。また、本方法は、北西側ラジエータと南西側ラジエータとを一体型衛星の西に面する側に取り付けることを含む。更に、本方法は、北東側ラジエータと南東側ラジエータとを一体型衛星の東に面した側に取り付けることを含む。
【００１５】
少なくとも１つの実施形態では、南側デュアルコンデンサループヒートパイプは、可撓セグメントを備える管組織の少なくとも一部を備える。ある実施形態では、北側デュアルコンデンサループヒートパイプは、可撓セグメントを備える管組織の少なくとも一部を備える。
【００１６】
一または複数の実施形態では、南側デュアルコンデンサループヒートパイプは、衛星バスの内部に設置される前に冷却剤で加圧される。ある実施形態では、北側デュアルコンデンサループヒートパイプは、衛星バス内部に設置される前に冷却剤で加圧される。
【００１７】
特徴、機能、及び利点は、本開示の種々の実施形態において単独で達成することができるか、又は更に他の実施形態において組み合わせることができる。
【００１８】
本発明のこれらの及び他の特徴、態様、及び利点は、下記の記載、特許請求の範囲、及び下記の添付図面によってより深く理解されるであろう。
【図面の簡単な説明】
【００１９】
【図１Ａ】本開示の少なくとも１つの実施形態に係る、衛星が格納位置にある、本開示の衛星熱管理システムを採用した例示の衛星を示す図である。
【図１Ｂ】本開示の少なくとも１つの実施形態に係る、衛星が展開位置にある、本開示の衛星熱管理システムを採用した例示の衛星を示す図である。
【図２Ａ】本開示の少なくとも１つの実施形態に係る、衛星が格納位置にある、本開示の衛星熱管理システムを採用した例示の衛星を示す図である。
【図２Ｂ】本開示の少なくとも１つの実施形態に係る、衛星が部分的に展開位置にある、本開示の衛星熱管理システムを採用した例示の衛星を示す図である。
【図２Ｃ】本開示の少なくとも１つの実施形態に係る、衛星が完全な展開位置にある、本開示の衛星熱管理システムを採用した例示の衛星を示す図である。
【図３Ａ】本開示の少なくとも１つの実施形態に係る、東側ラジエータが太陽に照らされ、西側ラジエータは太陽に照らされない、本開示の衛星熱管理システム（すなわちデュアルコンデンサループヒートパイプ）を示す概略図である。
【図３Ｂ】本開示の少なくとも１つの実施形態に係る、西側ラジエータが太陽に照らされ、東側ラジエータは太陽に照らされない、本開示の衛星熱管理システム（すなわちデュアルコンデンサループヒートパイプ）を示す概略図である。
【図３Ｃ】本開示の少なくとも１つの実施形態に係る、本開示の衛星熱管理システム（すなわちデュアルコンデンサループヒートパイプ）によって採用された例示の蒸気遮断Ｔ字管の詳細を示す概略図である。
【図４Ａ】本開示の少なくとも１つの実施形態に係る、本開示の衛星熱管理システム（すなわち北側デュアルコンデンサループヒートパイプ）の西側ラジエータ（衛星の西側の面の北側に装着された）と東側ラジエータ（衛星の東側の面の北側に装着された）を示す図である。
【図４Ｂ】本開示の少なくとも１つの実施形態に係る、本開示の衛星熱管理システム（すなわち南側デュアルコンデンサループヒートパイプ）の西側ラジエータ（衛星の西側の面の南側に装着された）と東側ラジエータ（衛星の東側の面の南側に装着された）を示す図である。
【図５Ａ】本開示の少なくとも１つの実施形態に係る、図４Ａに示す管組織の可撓セグメントの詳細を示す図である。
【図５Ｂ】本開示の少なくとも１つの実施形態に係る、図４Ａに示す管組織への蒸気Ｔ字管及び蒸気遮断Ｔ字管の接続の詳細を示す図である。
【図６】本開示の少なくとも１つの実施形態に係る、衛星熱管理システムの開示の方法のフロー図である。
【図７】本開示の少なくとも１つの実施形態に係る、開示の衛星熱管理システムにおいて２４時間にわたる東側ラジエータ（衛星の東側の面の北側に装着された）（すなわち北東側ラジエータ）、西側ラジエータ（衛星の西側の面の北側に装着された）（すなわち北西側ラジエータ）、西側ラジエータ（衛星の西側の面の南側に装着された）（すなわち南西側ラジエータ）、及び東側ラジエータ（衛星の東側の面の南側に装着された）（すなわち南東側ラジエータ）の例示の熱伝達をワット（Ｗ）で示すグラフ７００である。
【図８】本開示の少なくとも１つの実施形態に係る、開示の衛星熱管理システムのペイロードに対する、衛星内部の蒸発器及び蒸気遮断Ｔ字管の位置を示す概略図である。
【図９Ａ】本開示の少なくとも１つの実施形態に係る、例示の一体型衛星の中に衛星熱管理システム（すなわちデュアルコンデンサループヒートパイプ）を設置する方法を示す図である。
【図９Ｂ】本開示の少なくとも１つの実施形態に係る、例示の一体型衛星の中に衛星熱管理システム（すなわちデュアルコンデンサループヒートパイプ）を設置する方法を示す図である。
【図９Ｃ】本開示の少なくとも１つの実施形態に係る、例示の一体型衛星の中に衛星熱管理システム（すなわちデュアルコンデンサループヒートパイプ）を設置する方法を示す図である。
【図９Ｄ】本開示の少なくとも１つの実施形態に係る、例示の一体型衛星の中に衛星熱管理システム（すなわちデュアルコンデンサループヒートパイプ）を設置する方法を示す図である。
【図１０Ａ】本開示の少なくとも１つの実施形態に係る、例示の一体型衛星の中に衛星熱管理システム（すなわちデュアルコンデンサループヒートパイプ）を設置する開示の方法を示すフロー図である。
【図１０Ｂ】本開示の少なくとも１つの実施形態に係る、例示の一体型衛星の中に衛星熱管理システム（すなわちデュアルコンデンサループヒートパイプ）を設置する開示の方法を示すフロー図である。
【発明を実施するための形態】
【００２０】
本書に開示の方法及び装置は、太陽に垂直のラジエータを有する衛星のデュアルコンデンサループヒートパイプの操作システムを提供する。本開示のシステムにより、衛星の現在の従来型熱制御システムに対して有用となるには熱環境が極端過ぎる衛星の表面（すなわち東及び西側の面）で熱を遮断することができる。本開示のシステムにより、衛星が宇宙船の東側及び西側の表面を用いることによって、高効率で熱を遮断することができるようになり、これにより衛星市場においてより優位な衛星ができる。
【００２１】
本開示のシステムは、静止地球軌道（ＧＥＯ）、又は例えば中軌道（ＭＥＯ）、低軌道（ＬＥＯ）、及び超静止地球軌道（超ＧＥＯ）等の他の軌道内の宇宙船に使用するための熱制御技術を提供するものである。本開示のシステムは、現在の従来技術では、昼間の外部熱環境が原因で、熱遮断における有用性が最小限となってしまう放熱面を使用する。本開示のシステムはこれら放熱面により、それ自体の環境に自然に応答する（移動パーツのない）流体スイッチを使用することによって、低い動作温度と昼間の温度変化が小さいことが要求される電子機器を冷却することが可能になる。熱は、２つのラジエータの内、どちらか電子機器よりも低温の方から遮断される。ラジエータは、いかなる時でも少なくとも１つは低温環境にあるように配向される。
【００２２】
前述したように、現在、宇宙船（例：衛星）の熱制御のための従来システムにより、機内電子機器から生じた熱が宇宙船の北に面する及び南に面する表面から遮断されることが可能になる。宇宙船の北に面する及び南に面する表面は、宇宙船の東及び西に面する表面よりも低温の環境を呈する。熱制御のためのこれらの従来システムでは、１回軌道を回るごとに少なくとも１回は太陽に照らされるため、宇宙船の東及び西に面する表面ではそれほど多くの熱を遮断することができない。開示のシステムにより、宇宙船の東及び西に面する表面で熱を遮断することが可能になり、宇宙船の熱効率が向上する。
【００２３】
本開示のシステムは、宇宙船の東及び西側の面にデュアルコンデンサループヒートパイプを採用する。本開示は、製造、及び供給業者から衛星の製造業者への配送を簡単にするための様々な設計及び設置オプションを含む上記システムの設計を詳述するものである。本開示は、例えば蒸気及び凝縮ラインが互いに隣接しているが互いに熱的に分離されるようなルーティング；直流コンデンサに対する並流コンデンサ；最暖の季節の間の熱遮断を最大限にし、必要なヒータ電力を削減するために北側及び南側ラジエータへの定容量ヒートパイプの相互結合；及びヒータ制御等の設計要素を提供する。
【００２４】
本開示のシステムは、東側パネルと西側パネルとを連結させて、衛星ビークル内のアセンブリを可能にする、（２つのパネル間の冷却剤流の流体バルブ制御型セグメンテーションを有し、管組織システム内に可撓部分を有する）デュアルコンデンサループヒートパイプと組み合わせた東−西側パネルを用いる。デュアルコンデンサループヒートパイプを東側及び西側パネルに追加することにより、ビークルへの大きなペイロードの熱負荷を遮断することができる。加えて、各パネル内のセグメント化された並流路の管組織パターンにより、パネルが部分的に日陰になったときに、東側パネル又は西側パネルの部分動作が可能になる。
【００２５】
最大積載量は、ビークルのラジエータパネルの冷却能力によって制限されうることに留意すべきである。冷却能力を上げることによって、最大積載量に対するビークルのサイズの比率を改善することができる（すなわち、より小さいビークルがより大きい最大積載量を有することができるようになる。
【００２６】
以下の説明において、より綿密なシステムの説明を提供するために多数の詳細が記載されている。しかしながら、開示のシステムはこれらの具体的な詳細なしに実施可能であることは、当業者に明らかとなるであろう。他の場合には、システムが不必要にわかりにくくならないように、既知の特徴は詳細には説明していない。
【００２７】
加えて、本開示の実施形態が、他の構成要素と協働して実施され得ること、及び本書に記載のシステムが単に本開示の例示的な一実施形態に過ぎないことは、当業者に理解されるであろう。
【００２８】
簡潔にするため、衛星熱管理システムに関する従来の技法及び構成要素、並びにシステム（及びシステムの個別の動作構成要素）の他の機能的側面は、本書では詳細には記載されない場合がある。更に、本書に含まれる様々な図面に示される接続線は、さまざまなエレメント間の例示の機能的関係及び／又は物理的結合を表すように意図される。本開示の実施形態において、多くの代替又は追加の機能的関係又は物理的接続が呈示されうることに留意すべきである。
【００２９】
図１Ａは、本開示の少なくとも１つの実施形態による、衛星１３０が格納位置にある、開示の衛星熱管理システムを採用している例示の衛星１３０を示す図１００である。この図面において、衛星１３０は、北側ソーラーパネル１０５、南側ソーラーパネル（図示せず）１１５、東側アンテナリフレクタ１２５、１３５、及び西側アンテナリフレクタ（図示せず）１４５、１５５、及び天底側アンテナリフレクタ１６５、１７５を備えている。この図では、図示した北側ソーラーパネル１０５、南側ソーラーパネル（図示せず）１１５、東側アンテナリフレクタ１２５、１３５、西側アンテナリフレクタ（図示せず）１４５、１５５、及び天底側アンテナリフレクタ１６５、１７５は全て格納位置にある。
【００３０】
図１Ｂは、本開示の少なくとも１つの実施形態による、衛星１４０が展開位置にある、開示の衛星熱管理システムを採用している例示の衛星１４０を示す図１１０である。この図面において、衛星１４０は、北側ソーラーパネル１０６、南側ソーラーパネル１１６、東側アンテナリフレクタ１２６、１３６、及び西側アンテナリフレクタ１４６、１５６、及び天底側アンテナリフレクタ１６６、１７６を備えている。この図では、図示した北側ソーラーパネル１０６、南側ソーラーパネル１１６、東側アンテナリフレクタ１２６、１３６、西側アンテナリフレクタ１４６、１５６、及び天底側アンテナリフレクタ１６６、１７６は全て展開位置にある。加えて、衛星１４０は、東側ラジエータ（衛星１４０の北側に装着された）１８０、東側ラジエータ（衛星１４０の南側に装着された）１８１、西側ラジエータ（衛星１４０の北側に装着された）（図示せず）１８２、及び西側ラジエータ（衛星１４０の南側に装着された）（図示せず）１８３を備えている。
【００３１】
図２Ａは、本開示の少なくとも１つの実施形態による、衛星２０５が格納位置にある、開示の衛星熱管理システムを採用している例示の衛星２０５を示す図２００である。この図面において、衛星２０５は、北側ソーラーパネル２０６、南側ソーラーパネル（図示せず）２０９、東側アンテナリフレクタ２０７、２０８、及び西側アンテナリフレクタ（図示せず）２０３、２０４を備えている。この図では、図示した北側ソーラーパネル２０６、南側ソーラーパネル（図示せず）２０９、東側アンテナリフレクタ２０７、２０８及び西側アンテナリフレクタ（図示せず）２０３、２０４は全て格納位置にある。
【００３２】
図２Ｂは、本開示の少なくとも１つの実施形態による、衛星２１５が部分的に展開した位置にある、開示の衛星熱管理システムを採用している例示の衛星２１５を示す図２１０である。この図面において、衛星２１５は、北側ソーラーパネル２１６、南側ソーラーパネル（図示せず）２１９、東側アンテナリフレクタ２１７、２１８、及び西側アンテナリフレクタ（図示せず）２１３、２１４を備えている。この図では、図示した北側ソーラーパネル２１６、南側ソーラーパネル（図示せず）２１９はまだ格納位置にある。この図では、東側アンテナリフレクタ２１７、２１８及び西側アンテナリフレクタ２１３、２１４（図示せず）は部分的に展開した位置にある。加えて、衛星は、東側ラジエータ（衛星２１５の北側に装着された）２３０、東側ラジエータ（衛星２１５の南側に装着された）２３１、西側ラジエータ（衛星２１５の北側に装着された（図示せず）２３２、及び西側ラジエータ（衛星２１５の南側に装着された）（図示せず）２３３を備えている。
【００３３】
図２Ｃは、本開示の少なくとも１つの実施形態による、衛星２２５が完全に展開した位置にある、開示の衛星熱管理システムを採用している例示の衛星２２５を示す図２２０である。この図面において、衛星２２５は、北側ソーラーパネル２２６、南側ソーラーパネル２２９、東側アンテナリフレクタ２２７、２２８、及び西側アンテナリフレクタ２２３、２２４を備えている。この図では、図示した北側ソーラーパネル２２６、南側ソーラーパネル２２９、東側アンテナリフレクタ２２７、２２８、及び西側アンテナリフレクタ２２３、２２４は全て展開位置にある。加えて、衛星２２５は、東側ラジエータ（衛星１４０の北側に装着された）２４０、東側ラジエータ（衛星１４０の南側に装着された）２４１、西側ラジエータ（衛星１４０の北側に装着された（図示せず）２４２、及び西側ラジエータ（衛星１４０の南側に装着された）（図示せず）２４３を備えている。
【００３４】
図３Ａは、本開示の少なくとも１つの実施形態による、東側ラジエータ３１０が太陽３５０に照らされ、西側ラジエータ３２０が太陽３５０に照らされていない、開示の衛星熱管理システム（すなわちデュアルコンデンサループヒートパイプ）３０１を示す概略図である。この図において、図示した管組織３６０（例：ステンレス鋼の管組織（ＳＳＴ）及び／又はアルミニウムの管組織）は、東側ラジエータ３１０と西側ラジエータ３２０を通っている。管組織３６０により、蒸発器３９０が東側ラジエータ３１０と西側ラジエータ３２０に接続されている。一または複数の実施形態では、東側ラジエータ３１０と西側ラジエータ３２０は衛星の北側に装着されうる、あるいは東側ラジエータ３１０と西側ラジエータ３２０は衛星の南側に装着されうることに留意すべきである。
【００３５】
動作中に、衛星の発熱電子機器（例：ペイロード）の近くに装着された蒸発器３９０内の液体（すなわち熱伝達流体）（例：アンモニア、プロピレン、又は他の同じような種類の冷却剤）が加熱される。液体は、衛星の発熱電子機器から伝導する熱によって蒸発器３９０内で加熱される。液体が加熱されると、液体は蒸気（例：アンモニア蒸気、プロピレン蒸気、又は他の同じような種類の冷却剤蒸気）に転化する。
【００３６】
蒸気は管組織３６０内を、蒸気Ｔ字管３３０を介して、蒸発器３９０から太陽３５０に照らされない西側ラジエータ３２０へ、及び太陽３５０に照らされる東側ラジエータ３１０へ受動的に循環する。
【００３７】
蒸気が太陽３５０に照らされない西側ラジエータ３２０の管組織３６０内にあるときに、蒸気は冷却され、変換して液体に戻る。次に、液体は管組織３６０内を、蒸気遮断Ｔ字管３４０を介して、西側ラジエータ３２０から蒸発器３９０へ受動的に循環する。その後、プロセスは繰り返される。
【００３８】
図３Ｂは、本開示の少なくとも１つの実施形態による、西側ラジエータ３２０が太陽３５０に照らされ、東側ラジエータ３１０が太陽３５０に照らされない、開示の衛星熱管理システム（すなわちデュアルコンデンサループヒートパイプ）３０２を示す概略図である。この図において、図示した管組織３６０（例：ステンレス鋼の管組織）は、東側ラジエータ３１０と西側ラジエータ３２０を通っている。管組織３６０により、蒸発器３９０が東側ラジエータ３１０と西側ラジエータ３２０に接続されている。一または複数の実施形態では、東側ラジエータ３１０と西側ラジエータ３２０は衛星の東側の面と西側の面の北側に装着されうる、あるいは東側ラジエータ３１０と西側ラジエータ３２０は衛星の東側の面と西側の面の南側に装着されうることに留意すべきである。
【００３９】
動作中に、衛星の発熱電子機器（例：ペイロード）の近くに装着された蒸発器３９０内の液体（すなわち熱伝達流体）（例：アンモニア、プロピレン、又は他の同じような種類の冷却剤）が加熱される。液体は、衛星の発熱電子機器から伝導する熱によって蒸発器３９０内で加熱される。液体が加熱されると、液体は蒸気（例：アンモニア蒸気、プロピレン蒸気、又は他の同じような種類の冷却剤蒸気）に転化する。
【００４０】
蒸気は管組織３６０内で、蒸気Ｔ字管３３０を介して、蒸発器３９０から太陽３５０に照らされない東側ラジエータ３１０へ、及び太陽３５０に照らされる西側ラジエータ３２０へ受動的に循環する。
【００４１】
蒸気が太陽３５０に照らされない東側ラジエータ３１０の管組織３６０内にあるときに、蒸気は冷却され、転化して液体に戻る。次に、液体は管組織３６０内で、蒸気遮断Ｔ字管３４０を介して、東側ラジエータ３１０から蒸発器３９０へ受動的に循環する。その後、プロセスが繰り返される。
【００４２】
図３Ｃは、本開示の少なくとも１つの実施形態による、開示の衛星熱管理システム（すなわちデュアルコンデンサループヒートパイプ）によって採用される例示の蒸気遮断Ｔ字管３４０の詳細を示す概略図３０３である。蒸気遮断Ｔ字管３４０により、太陽に照らされないラジエータからの液体が、蒸気遮断Ｔ字管３４０を通過することが可能になる。しかしながら、蒸気遮断Ｔ字管３４０内の湿潤多孔プラグにより、太陽に照らされるラジエータからの蒸気は、蒸気遮断Ｔ字管３４０を通過することができなくなる。
【００４３】
図４Ａは、本開示の少なくとも１つの実施形態による、開示の衛星熱管理システム（すなわち北側デュアルコンデンサループヒートパイプ）４００の西側ラジエータ（衛星の西側の面の北側に装着された）（すなわち北西側ラジエータ）４２２と、東側ラジエータ（衛星の東側の面の北側に装着された）（すなわち北東側ラジエータ）４２０を示す図である。この図面において、図示した西側ラジエータ４２２と東側ラジエータ４２０はいずれも、これらの内部全体を通る管組織（すなわち北側管組織）４６０を有する。管組織４６０の一部は、可撓セグメント（すなわち曲げることができるセグメント）４５０、４９５を含む。管組織４６０の可撓セグメント４５０、４９５は、ある実施形態では、可撓ホース（例えば波形管組織又は網状管組織）を含む。蒸気Ｔ字管４４０により、西側ラジエータ４２２と東側ラジエータ４２０の両方を通る管組織４６０が接続される。また、蒸気遮断Ｔ字管４３０により、西側ラジエータ４２２及び東側ラジエータ４２０の両方を通る管組織４６０が接続される。管組織４６０により、蒸発器（すなわち北側蒸発器）４９０が蒸気Ｔ字管４４０と蒸気遮断Ｔ字管４３０に接続される。
【００４４】
図４Ｂは、本開示の少なくとも１つの実施形態による、開示の衛星熱管理システム（すなわち南側デュアルコンデンサループヒートパイプ）４１０の西側ラジエータ（衛星の西側の面の南側に装着された）（すなわち南西側ラジエータ）４２３と、東側ラジエータ（衛星の東側の面の南側に装着された）（すなわち南東側ラジエータ）４２１を示す図である。この図面において、図示した西側ラジエータ４２３と東側ラジエータ４２１はいずれも、これらの内部全体を通る管組織（すなわち南側管組織）４６１を有する。管組織４６１の一部は、可撓セグメント（すなわち曲げることができるセグメント）４５１、４９６を含む。管組織４６１の可撓セグメント４５１、４９６は、ある実施形態では、可撓ホースを含む。蒸気Ｔ字管４４１により、西側ラジエータ４２３と東側ラジエータ４２１の両方を通る管組織４６１が接続される。また、蒸気遮断Ｔ字管４３１により、西側ラジエータ４２３及び東側ラジエータ４２１の両方を通る管組織４６１が接続される。蒸気Ｔ字管４４１は、蒸気遮断Ｔ字管４３１から熱的に分離している。管組織４６１により、蒸発器（すなわち南側蒸発器）４９１が蒸気Ｔ字管４４１と蒸気遮断Ｔ字管４３１に接続される。
【００４５】
図５Ａは、本開示の少なくとも１つの実施形態による、図４Ａに示す管組織４６０の可撓セグメント４５０、４９５の詳細を示す図５００である。具体的には、図５００は、東側ラジエータ（衛星の東側の面の北側に装着された）（すなわち北東側ラジエータ）４２０に近接した可撓セグメント４５０の詳細を示している。西側ラジエータ（衛星の西側の面の北側に装着された）（すなわち北西側ラジエータ）４２２、西側ラジエータ（衛星の西側の面の南側に装着された）（すなわち南西側ラジエータ）４２３、及び東側ラジエータ（衛星の東側の面の南側に装着された）（すなわち南東側ラジエータ）４２１に近接した可撓セグメント４５０、４５１（図４Ｂ参照）は、東側ラジエータ（衛星の東側の面の北側に装着された）（すなわち北東側ラジエータ）４２０に近接した可撓セグメント４５０と同様のものであることに留意すべきである（図５Ａ参照）。この図面において、一方の可撓セグメント４５０は液体ライン５０１として示され、他方の可撓セグメント４５０は蒸気ライン５０２として示されている。
【００４６】
図５Ｂは、本開示の少なくとも１つの実施形態に係る、図４Ａに示す蒸気Ｔ字管４４０と蒸気遮断Ｔ字管４３０の管組織４６０と可撓セグメント４９５への接続部の詳細を示す図５１０である。具体的には、図５１０は、（衛星の東側の面の北側に装着された）東側ラジエータ（すなわち北東側ラジエータ）４２０（図４Ａ参照）と、（衛星の西側の面の北側に装着された）西側ラジエータ（すなわち北西側ラジエータ）４２２から蒸発Ｔ字管４４０と蒸気遮断Ｔ字管４３０に接続されている管組織４６０の詳細を示す図である。（衛星の西側の面の南側に装着された）西側ラジエータ（すなわち南西側ラジエータ）４２３（図４Ｂ参照）と、（衛星の東側の面の南側に装着された）東側ラジエータ（すなわち南東側ラジエータ）４２１から蒸発Ｔ字管４４１と蒸気遮断Ｔ字管４３１に接続されている管組織４６１（図４Ｂ参照）の詳細は、図５Ｂに示す詳細と同様のものであることに留意すべきである。
【００４７】
図６は、本開示の少なくとも１つの実施形態に係る、衛星熱管理システムの開示の方法６００を示すフロー図である。方法６００の開始６１０において、液体を蒸気に転化させるために、蒸発器内の液体を加熱する（６２０）。次に、蒸気を管組織内で、蒸発器から太陽に照らされない第１のラジエータへ、及び太陽に照らされる第２のラジエータへ受動的に循環させる（６３０）。蒸気が太陽に照らされない第１のラジエータ内にあるときに、蒸気を液体に転化させる（６４０）。次に、液体を管組織内で、太陽に照らされない第１のラジエータから蒸発器へ受動的に循環させる。次に、方法６００は、繰り返すためにステップ６２０に戻る。
【００４８】
図７は、本開示の少なくとも１つの実施形態に係る、開示の衛星熱管理システムにおいて２４時間にわたる、（衛星の東側の面の北側に装着された）東側ラジエータ（すなわち北東側ラジエータ）４２０（図４Ａ参照）、（衛星の西側の面の北側に装着された）西側ラジエータ（すなわち北西側ラジエータ）４２２（図４Ａ参照）、（衛星の西側の面の南側に装着された）西側ラジエータ（すなわち南西側ラジエータ）４２３（図４Ｂ参照）、及び（衛星の東側の面の南側に装着された）東側ラジエータ（すなわち南東側ラジエータ）４２１（図４Ｂ参照）での例示の熱伝達をワット（Ｗ）で示すグラフ７００である。この図では、グラフ７００において、ｘ軸はローカル衛星時刻（ＬＳＴ）の正午以降の時間を１時間単位（ｈｒ）で表し、ｙ軸は熱伝達の量をワット（Ｗ）で表している。
【００４９】
グラフ７００において、正午から真夜中までは、太陽が西にいるときに、図示した熱伝達の大部分は（衛星の東側の面の南側に装着された）東側ラジエータ（すなわち南東側ラジエータ）４２１と、（衛星の東側の面の北側に装着された）東側ラジエータ（すなわち北東側ラジエータ）４２０で起こる。グラフ７００において、真夜中から正午までは、太陽が東にいるときに、図示した熱伝達の大部分は（衛星の西側の面の南側に装着された）西側ラジエータ（すなわち南西側ラジエータ）４２３と、（衛星の西側の面の北側に装着された）西側ラジエータ（すなわち北西側ラジエータ）４２２で起こる。
【００５０】
図８は、本開示の少なくとも１つの実施形態に係る、開示の衛星熱管理システムにおけるペイロード８２０（例：ペイロード電子機器）に対する衛星８１０内の蒸発器４９０、４９１、蒸気遮断Ｔ字管４３０、４３１、及び蒸気Ｔ字管４４０、４４１の位置を示す概略図８００である。この図では、図示した管組織４６０により、衛星８１０の北側において、蒸気遮断Ｔ字管４３０と蒸気Ｔ字管４４０が（衛星の東側の面の北側に装着された）東側ラジエータ（すなわち北東側ラジエータ）４２０と、（衛星の西側の面の北側に装着された）西側ラジエータ（すなわち北西側ラジエータ）４２２と、蒸発器４９０（すなわち北側蒸発器）に接続されている。図示した蒸気遮断Ｔ字管４３０と蒸気Ｔ字管４４０は、衛星８１０内の衛星８１０の北側の近くに位置づけされている。この図では、蒸気遮断Ｔ字管４３０と蒸気Ｔ字管４４０は単一ユニットに見えるが、実際は例えば図５Ｂに示すように、２つの個別の離れた熱的に隔離されたユニットであることに留意すべきである。図示した蒸発器４９０は、衛星８１０内のペイロード（例：ペイロード電子機器）８２０の近くに装着される。図示した北側の定容量ヒートパイプ８３０は、ペイロード（例：ペイロード電子機器）８２０と蒸発器４９０の近くに装着される。蒸発器４９０は、（例えば一または複数のボルトを介して）北側の定容量ヒートパイプ８３０に取り付けられている。北側の定容量ヒートパイプ８３０は衛星８１０内部において、北側の定容量ヒートパイプ８３０により（衛星の東側の面の北側に装着された）東側ラジエータ（すなわち北東側ラジエータ）４２０と、（衛星の西側の面の北側に装着された）西側ラジエータ（すなわち北西側ラジエータ）４２２が、衛星８１０の北側の一または複数のラジエータ８４０に結合されるように、配向されている。
【００５１】
同様に、衛星８１０の南側において、図示した管組織４６１により、蒸気遮断Ｔ字管４３１と蒸気Ｔ字管４４１が、（衛星の東側の面の南側に装着された）東側ラジエータ（すなわち南東側ラジエータ）４２１と、（衛星の西側の面の南側に装着された）西側ラジエータ（すなわち南西側ラジエータ）４２３と、蒸発器４９１（すなわち南側蒸発器）に接続されている。図示した蒸気遮断Ｔ字管４３１と蒸気Ｔ字管４４１は、衛星８１０内の衛星８１０の南側の近くに位置づけされている。この図では、蒸気遮断Ｔ字管４３１と蒸気Ｔ字管４４１は単一ユニットに見えるが、実際は例えば図５Ｂに示すように、２つの個別の離れた熱的に隔離されたユニットであることに留意すべきである。図示した蒸発器４９１は、衛星８１０内のペイロード（例：ペイロード電子機器）８２０の近くに装着される。図示した南側の定容量ヒートパイプ８３１は、ペイロード（例：ペイロード電子機器）８２０と蒸発器４９１の近くに装着される。蒸発器４９１は、（例えば一または複数のボルトを介して）南側の定容量ヒートパイプ８３１に取り付けられる。南側の定容量ヒートパイプ８３１は衛星８１０内部において、南側の定容量ヒートパイプ８３１により（衛星の東側の面の南側に装着された）東側ラジエータ（すなわち南東側ラジエータ）４２１と、（衛星の西側の面の南側に装着された）西側ラジエータ（すなわち南西側ラジエータ）４２３が、衛星８１０の南側の一または複数のラジエータ８４１に結合されるように、配向されている。
【００５２】
ペイロード（例：ペイロード電子機器）８２０は、いかなる種類の熱を生じさせる機内電子機器であってもよいことに留意すべきである。ペイロード８２０は、定容量ヒートパイプ８３０、８３１の間に位置している。
【００５３】
図９Ａ、９Ｂ、９Ｃ、及び９Ｄはともに、本開示の少なくとも１つの実施形態に係る、衛星熱管理システム（すなわちデュアルコンデンサループヒートパイプ）（図４Ａの４００及び図４Ｂの４１０参照）を例示の一体型衛星９１５の中に設置する方法を示す図９０１、９０２、９０３、９０４である。
【００５４】
図９Ａに、一体型衛星（図９Ｂの９１５参照）を形成するために、衛星バス９１０と嵌合させる衛星のペイロード９０５を示す。衛星のペイロード９０５を衛星バス９１０と嵌合させる前に、南側デュアルコンデンサループヒートパイプ（図４Ｂの４１０参照）及び北側デュアルコンデンサループヒートパイプ（図４Ａの４００参照）はそれぞれ完全に組み立てられ、洗浄され、冷却剤で充填され、加圧され、そして試験が行われる。次に、南側デュアルコンデンサループヒートパイプ（図４Ｂの４１０参照）は、衛星バス９１０内の衛星バス９１０の南に面する側の近くに設置される。南側デュアルコンデンサループヒートパイプ（図４Ｂの４１０参照）は、南側蒸発器（図４Ｂの４９１参照）、南西側ラジエータ（図４Ｂの４２３参照）、及び南東側ラジエータ４２１（図４Ｂの４２１も参照）を備える。図９Ａには、南側デュアルコンデンサループヒートパイプ（図４Ｂの４１０参照）において南東側ラジエータ４２１のみが示されていることに留意すべきである。これは、南側蒸発器（図４Ｂの４９１参照）と南西側ラジエータ（図４Ｂの４２３参照）が南東側ラジエータ４２１のすぐ後ろに位置しているためである。
【００５５】
また、北側デュアルコンデンサループヒートパイプ（図４Ａの４００参照）は、衛星バス９１０内の衛星バス９１０の北に面する側の近くに設置される。北側デュアルコンデンサループヒートパイプ（図４Ａの４００参照）は、北側蒸発器（図４Ａの４９０参照）、北西ラジエータ（図４Ａの４２２参照）、及び北東ラジエータ４２０（図４Ａの４２０も参照）を備える。図９Ａには、北側デュアルコンデンサループヒートパイプ（図４Ａの４００参照）において北東側ラジエータ４２０のみが示されていることに留意すべきである。これは、北側蒸発器（図４Ａの４９０参照）と北西側ラジエータ（図４Ａの４２２参照）が北東側ラジエータ４２０のすぐ後ろに位置しているためである。
【００５６】
次に、南西側ラジエータ（図４Ｂの４２３参照）、南東側ラジエータ４２１、北西側ラジエータ（図４Ａの４２２参照）、及び北東側ラジエータ４２０それぞれの両面が衛星バス９１０の全ての面から離れて位置するように（例えば、図９Ａに示すように、北東側ラジエータ４２０と北東側ラジエータ４２０の面が衛星バス９１０の面から離れて位置するように）、南西側ラジエータ（図４Ｂの４２３参照）、南東側ラジエータ４２１、北西側ラジエータ（図４Ａの４２２参照）、及び北東側ラジエータ４２０を回転させる。可撓セグメント（すなわち曲げることができるセグメント）４５０を含む管組織４６０（図４Ａ参照）の部分により、北西側ラジエータ（図４Ａの４２２参照）と北東側ラジエータ４２０の回転が可能になることに留意すべきである。また、可撓セグメント（すなわち曲げることができるセグメント）４５１を含む管組織４６１（図４Ｂ参照）の部分により、南西側ラジエータ（図４Ｂの４２３参照）と南東側ラジエータ４２１の回転が可能になる。
【００５７】
次に、南西側ラジエータ（図４Ｂの４２３参照）、南東側ラジエータ４２１、北西側ラジエータ（図４Ａの４２２参照）、及び北東側ラジエータ４２０を必要に応じて回転させた後で、一体型衛星（図９Ｂの９１５参照）を形成するために、衛星のペイロード９０５を衛星バス９１０に嵌合させる。衛星のペイロード９０５を衛星バス９１０に嵌合させる間に、南側蒸発器（図８の４９１参照）を衛星のペイロード９０５内の南側の定容量ヒートパイプ（図８の８３１参照）の近くに位置づけすることに留意すべきである。可撓セグメント（すなわち曲げることができるセグメント）４９６（図４Ｂ参照）を含む管組織４６１の部分（図４Ｂ参照）により、南側蒸発器（図８の４９１参照）を南側の定容量ヒートパイプ（図８の８３１参照）の近くに位置づけすることが可能になることに留意すべきである。南側蒸発器（図８の４９１参照）を南側の定容量ヒートパイプ（図８の８３１参照）の近くに位置づけした後に、南側蒸発器（図８の４９１参照）を（例えば一または複数のボルトを介して）、衛星のペイロード９０５内の南側の定容量ヒートパイプ（図８の８３１参照）に接続させる。
【００５８】
更に、衛星のペイロード９０５を衛星バス９１０に嵌合させる間に、北側蒸発器（図８の４９０参照）を衛星のペイロード９０５内の北側の定容量ヒートパイプ（図８の８３０参照）の近くに位置づけすることに留意すべきである。可撓セグメント（すなわち曲げることができるセグメント）４９５（図４Ａ参照）を含む管組織４６０の部分（図４Ａ参照）により、北側蒸発器（図８の４９０参照）を北側の定容量ヒートパイプ（図８の８３０参照）の近くに位置づけすることが可能になることに留意すべきである。北側蒸発器（図８の４９０参照）を北側の定容量ヒートパイプ（図８の８３０参照）の近くに位置づけした後で、北側蒸発器（図８の４９０参照）を（例えば一または複数のボルトを介して）、衛星のペイロード９０５内の北側の定容量ヒートパイプ（図８の８３０参照）に接続させる。
【００５９】
図９Ｂは、一体型衛星９１５を形成するために衛星バス９１０に嵌合させた、衛星のペイロード９０５を示す図である。
【００６０】
図９Ｃ及び９Ｄにおいて、衛星のペイロード９０５を衛星バス９１０に嵌合させた後に、北西側ラジエータ４２２と南西側ラジエータ４２３がいずれも一体型衛星９１５の西に面した側に置かれるように、北西側ラジエータ４２２と南西側ラジエータ４２３とを回転させる。また、衛星のペイロード９０５を衛星バス９１０に嵌合させた後に、北東側ラジエータ４２０と南東側ラジエータ４２１がいずれも一体型衛星９１５の東に面した側に置かれるように、北東側ラジエータ４２０と南東側ラジエータ４２１とを回転させる。
【００６１】
次に、北西側ラジエータ４２２と南西側ラジエータ４２３とを（一または複数のボルトを介して）、一体型衛星９１５の西に面する側に取り付ける。また、北東側ラジエータ４２０と南東側ラジエータ４２１とを（一または複数のボルトを介して）、一体型衛星９１５の東に面した側に取り付ける。
【００６２】
図１０Ａ及び１０Ｂはともに、本開示の少なくとも１つの実施形態に係る、例示の一体型衛星の中に衛星熱管理システム（すなわちデュアルコンデンサループヒートパイプ）を設置する開示の方法を示すフロー図である。方法の開始（１０００）において、衛星バス内の衛星バスの南に面した側の近くに南側デュアルコンデンサループヒートパイプを設置する（１００５）。一または複数の実施形態では、南側デュアルコンデンサループヒートパイプは、南側蒸発器と、南西側ラジエータと、南東側ラジエータとを備える。また、衛星バス内の衛星バスの北に面した側の近くに北側デュアルコンデンサループヒートパイプを設置する（１０１０）。ある実施形態では、北側デュアルコンデンサループヒートパイプは、北側蒸発器と、北西側ラジエータと、北東側ラジエータとを備える。
【００６３】
次に、南西側ラジエータ、南東側ラジエータ、北西側ラジエータ、及び北東側ラジエータそれぞれの両面が衛星バスの全ての面から離れて位置するように、南西側ラジエータ、南東側ラジエータ、北西側ラジエータ、及び北東側ラジエータを回転させる（１０１５）。次に、一体型衛星を形成するために衛星バスを衛星のペイロードに嵌合させる（１０２０）。衛星バスを衛星のペイロードに嵌合させている間に、南側蒸発器を衛星のペイロード内の南側の定容量ヒートパイプに接続させる（１０２５）。また、衛星バスを衛星のペイロードに嵌合させている間に、北側蒸発器を衛星のペイロード内の北側の定容量ヒートパイプに接続させる（１０３０）。
【００６４】
次に、北西側ラジエータと南西側ラジエータを、北西側ラジエータと南西側ラジエータがいずれも一体型衛星の西に面した側に置かれるように回転させる（１０３５）。更に、北東側ラジエータと南東側ラジエータを、北東側ラジエータと南東側ラジエータがいずれも一体型衛星の東に面した側に置かれるように回転させる（１０４０）。次に、北西側ラジエータと南西側ラジエータをいずれも一体型衛星の西に面する側に取り付ける（１０４５）。更に、北東側ラジエータと南東側ラジエータをいずれも一体型衛星の東に面した側に取り付ける（１０５０）。その後、本方法は終了する（１０５５）。
【００６５】
特定の実施形態を示し説明したが、上記の説明はこれらの実施形態の範囲を制限することを意図しないことを理解すべきである。本発明の多数の態様の実施形態及び変形例が本書に開示され記載されているが、上記開示内容は、説明及び例示の目的のみに提供されるものである。したがって、請求項の範囲から逸脱することなく、さまざまな変更及び修正を行うことが可能である。
【００６６】
上述した方法では、特定の事象が特定の順序で起こるように示したが、この開示内容の恩恵を受ける当業者は、順序が変更可能であり、そのような変更は本開示の変形例によるものであることを認識するであろう。加えて、可能な場合には、方法の一部分を並行プロセスにおいて同時に実施するだけでなく、連続的に実施することが可能である。加えて、方法の大部分あるいはより少ない部分を実施することが可能である。
【００６７】
したがって実施形態は、特許請求の範囲内に包含される代替例、修正例、及び等価物を例示することを意図している。
【００６８】
特定の例示的実施形態及び方法を本明細書中に開示したが、前述の開示内容から、当業者には、本開示の精神及び範囲から逸脱することなく、このような実施形態及び方法に変更及び修正を加えることが可能であることは明らかであろう。その他多数の本開示の実施例があり、各実施例はその詳細事項においてのみ他と異なる。したがって本開示は、特許請求の範囲及び適用法の規則及び原理によって必要とされる範囲にのみ制限されるものとする。
【００６９】
実施形態のさらなる実施例は、以下の条項に反映されている。
【００７０】
１．衛星熱管理システムのための方法であって、蒸発器内で液体を蒸気に転化させるために、液体を加熱することと、蒸気を管組織内で、蒸発器から太陽に照らされない第１のラジエータへ、及び太陽に照らされる第２のラジエータへ受動的に循環させることと、蒸気が太陽に照らされない第１のラジエータ内にあるときに、蒸気を液体に転化させることと、液体を管組織内で、太陽に照らされない第１のラジエータから蒸発器へ受動的に循環させることとを含む方法。
【００７１】
２．第１のラジエータは衛星の東側に装着され、第２のラジエータは衛星の西側に装着される、条項１に記載の方法。
【００７２】
３．第１のラジエータは衛星の西側に装着され、第２のラジエータは衛星の東側に装着される、条項１又は２に記載の方法。
【００７３】
４．液体は管組織内で、蒸気遮断Ｔ字管を介して、太陽に照らされない第１のラジエータから蒸発器へ循環する、条項１から３のいずれか一項に記載の方法。
【００７４】
５．蒸気は管組織内で、蒸気Ｔ字管を介して、蒸発器から太陽に照らされない第１のラジエータへ、及び太陽に照らされる第２のラジエータへ循環する、条項１から４のいずれか一項に記載の方法。
【００７５】
６．液体は冷却剤である、条項１から５のいずれか一項に記載の方法。
【００７６】
７．管組織の少なくとも一部は可撓セグメントを含む、条項１から６のいずれか一項に記載の方法。
【００７７】
８．可撓セグメントは可撓ホースである、条項１から７のいずれか一項に記載の方法。
【００７８】
９．蒸発器は衛星内部に装着される、条項１から８のいずれか一項に記載の方法。
【００７９】
１０．液体は衛星のペイロードから伝導する熱によって加熱される、条項１から９のいずれか一項に記載の方法。
【００８０】
１１．衛星熱管理システムは、液体を蒸気に転化させるために液体を加熱する蒸発器と、蒸気が太陽に照らされない第１のラジエータ内にあるときに、蒸気が液体に転化する、太陽に照らされない第１のラジエータと、太陽に照らされる第２のラジエータと、蒸気を蒸発器から太陽に照らされない第１のラジエータへ、及び太陽に照らされる第２のラジエータへ受動的に循環させ、液体を太陽に照らされない第１のラジエータから蒸発器へ受動的に循環させる管組織とを備え、管組織により蒸発器が太陽に照らされない第１のラジエータ、及び太陽に照らされる第２のラジエータに接続される、システム。
【００８１】
１２．第１のラジエータは衛星の東側に装着され、第２のラジエータは衛星の西側に装着される、条項１１に記載のシステム。
【００８２】
１３．第１のラジエータは衛星の西側に装着され、第２のラジエータは衛星の東側に装着される、条項１１又は１２に記載のシステム。
【００８３】
１４．液体は管組織内で、蒸気遮断Ｔ字管を介して、太陽に照らされない第１のラジエータから蒸発器へ循環する、条項１１から１３のいずれか一項に記載のシステム。
【００８４】
１５．蒸気は管組織内で、蒸気Ｔ字管を介して、蒸発器から太陽に照らされない第１のラジエータへ、及び太陽に照らされる第２のラジエータへ循環する、条項１１から１４のいずれか一項に記載のシステム。
【００８５】
１６．液体は冷却剤である、条項１１から１５のいずれか一項に記載のシステム。
【００８６】
１７．管組織の少なくとも一部は可撓セグメントを含む、条項１１から１６のいずれか一項に記載のシステム。
【００８７】
１８．可撓セグメントは可撓ホースである、条項１７に記載のシステム。
【００８８】
１９．蒸発器は衛星内部に装着される、条項１１から１８のいずれか一項に記載のシステム。
【００８９】
２０．液体は衛星のペイロードから伝導する熱によって加熱される、条項１１から１９のいずれか一項に記載のシステム。
【００９０】
２１．衛星熱管理システムを一体型衛星に設置する方法であって、衛星バス内部の衛星バスの南に面した側の近くに南側デュアルコンデンサループヒートパイプを設置することであって、南側デュアルコンデンサループヒートパイプは、南側蒸発器と、南西側ラジエータと、南東側ラジエータとを備える、設置することと、衛星バス内の衛星バスの北に面した側の近くに北側デュアルコンデンサループヒートパイプを設置することであって、北側デュアルコンデンサループヒートパイプは、北側蒸発器と、北西側ラジエータと、北東側ラジエータとを備える、設置することと、南西側ラジエータ、南東側ラジエータ、北西側ラジエータ、及び北東側ラジエータそれぞれの両面が衛星バスの全ての面から離れて位置するように、南西側ラジエータ、南東側ラジエータ、北西側ラジエータ、及び北東側ラジエータを回転させることと、一体型衛星を形成するために衛星バスを衛星のペイロードに嵌合させることと、衛星バスを衛星のペイロードに嵌合させている間に、南側蒸発器を衛星のペイロード内の南側の定容量ヒートパイプに接続させることと、衛星バスを衛星のペイロードに嵌合させている間に、北側蒸発器を衛星のペイロード内の北側の定容量ヒートパイプに接続させることと、北西側ラジエータと南西側ラジエータとがいずれも一体型衛星の西に面した側に置かれるように、北西側ラジエータと南西側ラジエータとを回転させることと、北東側ラジエータと南東側ラジエータとがいずれも一体型衛星の東に面した側に置かれるように、北東側ラジエータと南東側ラジエータとを回転させることと、北西側ラジエータと南西側ラジエータとを一体型衛星の西に面する側に取り付けることと、北東側ラジエータと南東側ラジエータとを一体型衛星の東に面した側に取り付けることとを含む方法。
【００９１】
２２．南側デュアルコンデンサループヒートパイプは、可撓セグメントを含む管組織の少なくとも一部を含む、条項２１に記載の方法。
【００９２】
２３．北側デュアルコンデンサループヒートパイプは、可撓セグメントを含む管組織の少なくとも一部を含む、条項２１又は２２に記載の方法。
【００９３】
２４．南側デュアルコンデンサループヒートパイプは、衛星バス内部に設置される前に冷却剤で加圧される、条項２１から２３のいずれか一項に記載の方法。
【００９４】
２５．北側デュアルコンデンサループヒートパイプは、衛星バス内部に設置される前に冷却剤で加圧される、条項２１から２４のいずれか一項に記載の方法。
【図１Ａ】
2018162056.tif 000003
【図１Ｂ】
2018162056.tif 000004
【図２Ａ】
2018162056.tif 000005
【図２Ｂ】
2018162056.tif 000006
【図２Ｃ】
2018162056.tif 000007
【図３Ａ】
2018162056.tif 000008
【図３Ｂ】
2018162056.tif 000009
【図３Ｃ】
2018162056.tif 000010
【図４Ａ】
2018162056.tif 000011
【図４Ｂ】
2018162056.tif 000012
【図５Ａ】
2018162056.tif 000013
【図５Ｂ】
2018162056.tif 000014
【図６】
2018162056.tif 000015
【図７】
2018162056.tif 000016
【図８】
2018162056.tif 000017
【図９Ａ】
2018162056.tif 000018
【図９Ｂ】
2018162056.tif 000019
【図９Ｃ】
2018162056.tif 000020
【図９Ｄ】
2018162056.tif 000021
【図１０Ａ】
2018162056.tif 000022
【図１０Ｂ】
2018162056.tif 000023
【外国語明細書】
2018162056000001.pdf
2018162056000002.pdf
2018162056000003.pdf
2018162056000004.pdf